(57)【要約】  本発明は、少なくとも１種の節足動物生物農薬と、コナダニ類の卵とを含んでなる生物学的防除組成物に関する。また、本発明は、節足動物生物農薬のための栄養源としての、コナダニ類の卵の使用に関する。また、本発明は、少なくとも１つの節足動物生物農薬の個体群と、コナダニ類の卵を含んでなる栄養源と、必要に応じて、支持及び／又は散布基材とを含んでなる生物学的防除組成物に関する。さらに、本発明は、栄養源であるコナダニ類の卵によって節足動物を飼育する方法に関する。【特許請求の範囲】
【請求項１】
節足動物生物農薬の個体群のための栄養源としての、コナダニ類の卵の使用であって、前記栄養源が、コナダニ類の幼虫、若虫又は成虫を含まないことを特徴とする使用。
【請求項２】
前記節足動物生物農薬の個体群が、少なくともスワルスキーカブリダニ（Amblyseius swirskii）種を含んでなること、及び、前記コナダニ類の卵が、ムギコナダニ（Aleuroglyphus ovatus）の卵を含んでなることを特徴とする、請求項１に記載の使用。
【請求項３】
前記コナダニ類の卵が、前記栄養源の総重量を基準として、少なくとも１０重量％、２０重量％、２５重量％、３０重量％、３５重量％、４０重量％、４５重量％、５０重量％、５５重量％、６０重量％、６５重量％、７０重量％、７５重量％、８０重量％、８５重量％、９０重量％、９５重量％、９８重量％又は１００重量％に相当することを特徴とする、請求項１又は２に記載の使用。
【請求項４】
生物学的防除組成物であって、
−少なくとも１つの節足動物生物農薬の個体群と、
−コナダニ類の卵を含んでなる栄養源であって、前記栄養源がコナダニ類の幼虫、若虫又は成虫を含まないことを特徴とする栄養源と、
−必要に応じて、支持及び／又は散布基材と、
を含んでなる生物学的防除組成物。
【請求項５】
少なくとも１つの節足動物の個体群がカブリダニ科に属することを特徴とする、請求項４に記載の組成物。
【請求項６】
少なくとも１つの節足動物の個体群がスワルスキーカブリダニ（Amblyseius swirskii）種であることを特徴とする、請求項４又は５に記載の組成物。
【請求項７】
少なくとも１つの節足動物の個体群が昆虫綱に属することを特徴とする、請求項４〜６のいずれか一項に記載の組成物。
【請求項８】
コナダニ類の卵がコナダニ科の卵であることを特徴とする、請求項４〜７のいずれか一項に記載の組成物。
【請求項９】
コナダニ類の卵がムギコナダニ（Aleuroglyphus ovatus）の卵であることを特徴とする、請求項４〜８のいずれか一項に記載の組成物。
【請求項１０】
少なくとも１つの節足動物生物農薬の個体群がスワルスキーカブリダニ（Amblyseius swirskii）種であること、及び、コナダニ類の卵がムギコナダニ（Aleuroglyphus ovatus）の卵であることを特徴とする、請求項４〜６及び８〜９のいずれか一項に記載の組成物。
【請求項１１】
前記組成物が鱗翅類の少なくとも１種の卵をさらに含んでなる、請求項４〜１０のいずれか一項に記載の組成物。
【請求項１２】
前記鱗翅類の卵がスジコナマダラメイガ（Ephestia kuhniella）の卵であることを特徴とする、請求項１１に記載の組成物。
【請求項１３】
前記鱗翅類の卵がバクガ（Sitotroga cerealella）の卵であることを特徴とする、請求項１１に記載の組成物。
【請求項１４】
少なくとも１つの節足動物生物農薬の個体群がスワルスキーカブリダニ（Amblyseius swirskii）種であること、前記コナダニ類の卵がムギコナダニ（Aleuroglyphus ovatus）の卵であること、及び、前記鱗翅類の卵がスジコナマダラメイガ（Ephestia kuhniella）の卵であることを特徴とする、請求項４〜６及び８〜１０のいずれか一項に記載の組成物。
【請求項１５】
以下の工程：
（ａ）コナダニ類の卵を採集する工程、
（ｂ）得られたコナダニ類の卵の重量を測定する工程、及び
（ｃ）コナダニ類の卵の重量及び節足動物の重量を合計する工程
を含んでなる、コナダニ類の卵によって節足動物を飼育する方法であって、
前記節足動物の重量の、前記コナダニ類の卵の重量に対する割合が１：３〜１：７であることを特徴とする方法。
【発明の詳細な説明】
【技術分野】
【０００１】
本発明は、少なくとも節足動物生物農薬（arthropod biological control agent）とコナダニ類（astigmatid mite）の卵とを含んでなる生物学的防除組成物に関する。
【背景技術】
【０００２】
農薬の発展は、限られた数の分子で多様な害虫及び疾病に対する処置を可能とすることにより、農業を大きく発展させてきた。農薬製品の効果は、主として、そのカテゴリー（殺虫剤、ダニ駆除剤、防カビ剤、除草剤、殺線虫剤、軟体動物駆除剤、殺鼠剤、モルキラー（mole killer））に依存する。
【０００３】
しかしながら、これらの製品の使用は、特に、ある有益物を廃絶することにより及び／又は耐性現象を生じさせることにより、バイオトープの不均衡の一因となり、これら２つの因子は、作物に害を与える害虫及び病原因子の発生の一因となる。
【０００４】
生物農薬の使用は、害虫、病原因子又は不定植物体（adventitious plant）に対して、それらの天然の敵対生物（antagonistic organisms）、例えば、（不定植物体に対して）植食性種、（節足動物等に対して）寄生ダニ類（parasitoids）、(線虫、節足動物、脊椎動物、軟体動物、コウモリ等に対して）捕食動物（predators）、又は、（ウイルス、細菌、カビ等に対して）病原体を使用して戦う１つの方法を構成する。これらの生物農薬の使用は、農薬の使用の低減も可能とする。
【０００５】
生物農薬としての節足動物、特にカブリダニ科（Phytoseiidae）の使用は、そのようなアプローチの有効性を証明してきた。このため、市場に出回っている組成物は、ククメリスカブリダニ（Amblyseius cucumeris）の個体群、すなわち、植食性種であるアザミウマ（thrips）（総翅目（Thysanoptera））の幼虫の捕食動物と、ふすまとを含んでなり、それによって、製品を作物に容易に分布させることが可能となる。これらの成分は、捕食動物を制御された様式で経時的に放出するために、必要に応じて、予め穴の開いた袋に供給することができる。同様に、ハダニ科（Tetranychidae）及びホコリダニ科（Tarsonemidae）の種の捕食動物としてのミヤコカブリダニ（Neoseiulus californicus）の使用、並びに、アザミウマ又はコナジラミ科（Aleyrodidae）の捕食動物としてのスワルスキーカブリダニ（Amblyseius swirskii）の使用が、現在、一般的である。
【０００６】
このアプローチにおいて、生きている生物農薬、この場合には節足動物を、所望の効果を達成するのに十分な数で再導入する必要がある。その結果、生物農薬、特に節足動物の餌が、生物農薬を飼育するための、又は、生物学的防除組成物の調製における、重要な因子を決定している。
【０００７】
数多くの文献には、生物農薬の大量飼育のための方法が記載されている。一般的には、生物農薬は、食物である餌群の存在下で飼育され、その後、作物に放出される。使用される餌群は、天然の餌以外の餌、例えば、生物農薬に対する餌として機能したならば飼育が容易となる餌であり得る。例えば、生物農薬としての節足動物の大量飼育の分野において、ＧＢ２３９３８９０には、ククメリスカブリダニ（Amblyseius cucumeris）がケナガコナダニ（Tyrophagus putrescentiae）、T. tropicus及びAcarus siroを代替餌として使用できることが開示されている。
【０００８】
このように、節足動物の個体群と、餌群と、必要に応じて餌群の支持体及び栄養素を提供する基材とを含んでなる組成物は、既に文献に記載されている。
【０００９】
Nomikouらは、スワルスキーカブリダニ（Amblyseius swirskii）の個体群が、ケナガコナダニ（Tyrophagus putrescentiae）を餌とした場合、高い捕食動物／餌比率を保持しつつ成長できることを示している（Experimental and Applied Acarology 27(1-2), 57-68）。
【００１０】
特許出願ＷＯ２００６／０５７５５２には、スワルスキーカブリダニ（Amblyseius swirskii）の個体群が、コナダニ類、特にサトウダニ科（Carpoglyphidae）、チリダニ科（Pyroglyphidae）、Glyphagidae科又はコナダニ科（Acaridae）に属するものを食餌源として使用して飼育できることが開示されている。
【００１１】
しかしながら、この方法は、幾つかの問題を引き起こす。
一方では、最初に、餌群を得ることが必要であるが、その飼育に関連する困難を伴う。特に、この餌は、通常、主として、カビが発生しやすい成分である穀類及び酵母を含有する餌を必要とする。
【００１２】
他方では、所望の数の捕食動物を獲るために重要である餌群と捕食動物群との均衡が、初期捕食動物／餌比率に依存することが知られている。この均衡は動的（dynamic）であるが、必然的に、捕食動物群の減少段階を伴う。高すぎる餌比率は、捕食動物の発生に有害な効果を有し、組成物中の捕食動物群の大幅な減少を引き起こす。
【００１３】
さらに、幾つかの場合、特に、餌がチリダニ（household dust mites）である場合、幾つかの種が植物毒性となり得ることが知られている。加えて、カブリダニ（phytoseiids）を飼育するために通常使用されるダニ、特にコナダニ類のうちの幾つかは、ヒトに対してアレルギーを引き起こす。
【００１４】
最後に、捕食動物と餌とを含んでなる、特にダニ類を含んでなる従来の組成物は、通常、非常に短い保存期間を有し、長くても約３週間しか、野外で劣化なしに持続しない。
【００１５】
したがって、依然として、生物農薬、特に節足動物の大量飼育に使用することができる改良された栄養源の必要性が存在している。さらに具体的には、向上した保存期間を有し、これにより生物学的防除組成物の全体的な保存期間を向上させることができる栄養源の必要性が存在している。
【発明の概要】
【００１６】
本発明者らは、節足動物の個体群の餌としてのコナダニ類（astigmatid mite）の卵の使用によって、従来技術の課題を解決できることを見出した。
【００１７】
本発明者らは、さらに詳細には、節足動物の個体群の餌としてのコナダニ類の卵の特定の使用が、コナダニ類の幼虫、若虫及び成虫をさらに含むコナダニ類の個体群全体の使用よりも効果的であることを見出した。
【００１８】
さらに、本発明者らは、コナダニ類の卵が、室温において、その他のタイプの節足動物の餌よりも長い保存期間（約４〜６週間）を有することを見出した。したがって、コナダニ類の卵を含んでなる組成物は、野外において（in the field）、その他のタイプの餌を含んでなる従来の組成物よりも長い保存期間を有する。
【００１９】
最後に、本発明者らは、驚くべきことに、コナダニ類の卵を、それらが孵化しないように処理できることを見出した。本発明者らは、実際に、特定の方法で処理される卵がさらに孵化できない段階に入るが、代謝活性は保持することを見出した。この段階は、本明細書では亜致死（sub-lethal）段階と呼ばれる。それらの卵は、向上した保存期間を有し、異なった条件で処理された卵と同じ速さでは劣化しないので、特に有利である。さらに、それらの亜致死の卵は、節足動物の個体群の餌とする上で効果的ではない幼虫及びその他の段階に発育しない。
【図面の簡単な説明】
【００２０】
【図１】図１は、２５℃、７５％ＨＲかつ１６／８（Ｌ／Ｄ）の条件下において、種々の発育段階の死んだ又は逃げたスワルスキーカブリダニ（Amblyseius swirskii）の、与えられた餌に依存する合計割合（当初の個体群のパーセント）を示す図である。
【図２】図２は、２５℃、７５％ＨＲかつ１６／８（Ｌ／Ｄ）の条件下において、与えられた餌に依存するスワルスキーカブリダニ（Amblyseius swirskii）の繁殖力（成虫期間全体における雌一匹あたりの卵で表される）を示す図である。
【図３】図３は、２５℃、７５％ＨＲかつ１６／８（Ｌ／Ｄ）の条件下において、与えられた餌に依存するスワルスキーカブリダニ（Amblyseius swirskii）の寿命（日数）を示す図である。
【図４】図４は、２５℃、７５％ＨＲかつ１６／８（Ｌ／Ｄ）の条件下において、絶食に供されたスワルスキーカブリダニ（Amblyseius swirskii）の脱出率（当初の個体群のパーセント）を示す図である。絶食に供された個体群には、A. ovatusの亜致死の卵（黒色プロット）又は全ての段階のA. ovatusの混合物（薄灰色プロット）が給餌された。
【図５】図５は、２ヶ月間、低温保存し、次いで、１週間、大気温度に置いた後のA. ovatusの卵（Ａ）及び全ての段階のA. ovatus（Ｂ）を示す図（卵の長さは平均１３２．５μｍ、幅８６．２μｍ）である。
【発明の具体的説明】
【００２１】
本発明の第一の対象は、節足動物生物農薬のための栄養源としてのコナダニ類（astigmatid mite）の卵の使用である。
【００２２】
本発明の第二の対象は、生物学的防除組成物であって、
−少なくとも１つの節足動物生物農薬の個体群と、
−コナダニ類の卵を含んでなる栄養源と、
−必要に応じて、支持及び／又は散布基材と、
を含んでなる生物学的防除組成物である。
【００２３】
本発明の別の対象は、生物学的防除組成物であって、
−少なくとも１つの節足動物生物農薬の個体群と、
−少なくとも１つのコナダニ類の個体群を含んでなる栄養源と、
−必要に応じて、支持及び／又は散布基材と、
を含んでなる生物学的防除組成物である。
【００２４】
さらに、本発明は、対象として、栄養源であるコナダニ類の卵によって節足動物生物農薬を飼育する方法を包含する。
【００２５】
最後に、本発明は、対象として、少なくとも１つのコナダニ類の個体群を含んでなる栄養源によって節足動物生物農薬を飼育する方法を包含する。
【００２６】
本発明において、「節足動物生物農薬の個体群」という表現は、生物農薬のうち、節足動物の少なくとも１種に属する少なくとも２匹の生きている個体を含んでなる、任意の集団を意味する。この集団は、生物農薬の単一又は幾つかの成長段階に属する複数の個体から構成することができる。例えば、この集団は、卵、幼虫、若虫、成虫である複数の個体又はこれら様々な段階の混合物を含んでなることができる。本発明において使用される節足動物は、例えば、クモ綱（Arachnida）から、好ましくは、ダニ類（mites）（ダニ目（Acari））又は昆虫綱（Insecta）から選択される。
【００２７】
一実施態様において、ダニ類は、トゲダニ目（Mesostigmata）及びTrombidiforms目から選択される。
【００２８】
一実施態様において、ダニ類は、例えば、カブリダニ科（phytoseiids）(カブリダニ科（Phytoseiidae））、ハエダニ科（Macrochelidae）又はトゲダニ科（Laelapidae）から選択することができる。
【００２９】
有利には、カブリダニ科（phytoseiids）は、ムチカブリダニ亜科（Amblyseiinae）、例えば、スワルスキーカブリダニ（Amblyseius swirskii）、ラーゴカブリダニ（Amblyseius largoensis）、Amblyseius andersoniから；又はウスカブリダニ属（Neoseiulus）、例えば、ケナガカブリダニ（Neoseiulus womersleyi）、ミヤコカブリダニ（Neoseiulus californicus）、ククメリスカブリダニ（Neoseiulus cucumeris）、Neoseiulus fallacis、Neoseiulus longispinosusから；又はIphiseius属、例えば、Iphiseius degeneransから；又はAmblydromalus属、例えば、Amblydromalus lailae、Amblydromalus limonicus若しくはAmblydromalus manihotiから；又はカタカブリダニ亜科（Typhlodrominae）、特に、Typhlodromips属、例えば、Typhlodromips montdorensisから；又はEuseius属、例えば、Euseius ovalis、Euseius scutalis、Euseius finlandicus、Euseius gallicus、Euseius stipulatus、Euseius tularensis、Euseius hibisciから選択することができる。
【００３０】
有利には、Macrochelidae科のダニ類は、Macrocheles属、例えば、Macrocheles robustulusから選択することができる。
【００３１】
有利には、Laelapidae科のダニ類は、Hypoaspis属、例えば、Hypoaspis aculeifer、Hypoaspis miles又はHypoaspis scimitusから選択することができる。
【００３２】
好ましくは、ダニ類は、スワルスキーカブリダニ（Amblyseius swirskii）、ククメリスカブリダニ（Neoseiulus cucumeris）、ラーゴカブリダニ（Amblyseius largoensis）、ミヤコカブリダニ（Neoseiulus californicus）、Neoseiulus fallacis、Neoseiulus longispinosus、Amblydromalus lailae、Typhlodromips montdorensis、Euseius ovalis、Euseius scutalis、Euseius hibisciから選択することができる。
【００３３】
本発明の特に有利な実施態様において、ダニ類は、スワルスキーカブリダニ（Amblyseius swirskii）種である。
【００３４】
一実施態様において、節足動物は、昆虫綱（Insecta）から選択することができる。昆虫は、Hemiptera目の種、例えば、Miridae科の種、Nesidiocoris属の種、例えば、Nesidiocoris tenuis又はNesidiocoris spp.から、あるいは、例えば、Anthocoridae科の種、Orius属の種、例えば、Orius laevigatus、Orius insidiosus、Orius spp.から、あるいは、例えば、Lygaeidae科の種、Geocoris属の種、例えば、Geocoris spp.から選択することができる。
【００３５】
昆虫は、Coleoptera目の種、例えば、Coccinellidae科の種、Cryptolaemus属の種、例えば、Cryptolaemus montrouzieri又はCryptolaemus spp.から選択することができる。
【００３６】
昆虫は、Neuroptera目の種、例えば、Chrysopidae科の種、例えば、Chrysoperla属の種、例えば、Chrysoperla spp.から選択することができる。
【００３７】
本発明において、「卵」という用語は、採集された卵であって、未だ孵化していない卵を意味する。例えば、産みたての（fresh）卵、又は、卵の全ての栄養特性が維持可能な任意の保存様式で保存された後の卵を使用することができる。好ましくは、卵は、その後に発育する卵の能力を変化させることなく、卵を発育段階（development stage）に維持可能な任意の保存様式で保存される。
【００３８】
さらに、卵は、亜致死段階を誘導することにより卵の孵化を防止するために、特別に処理することができる。ここで、「亜致死（sub-lethal）の卵」は、孵化しない卵であって、代謝活性を保持する卵を意味する。卵が孵化しないことを確認するために、当業者は、例えば、卵を、卵の発育に適する通常の培養条件下に置き、卵が経時的に幼虫、若虫及び成虫に発育しないことを確認することができる。例えば、当業者は、２５℃かつ７５％相対湿度下に卵を置き、卵が経時的に幼虫、若虫及び成虫に発育しないことを確認することができる。
【００３９】
代謝活性は、当業界で公知の任意の技術によって評価することができる。例えば、コナダニ（acari）の代謝活性が、その呼吸速度（respiratory rate）を測定することにより、より詳細には、個体ごとの酸素分子（Ｏ２）摂取量を測定することにより評価できることは、昔から知られている（Szlendakら, Exp Appl Acarol. 10(3-4):221-30, 1991; Blockら, J exp Biol 68:69-87, 1977; Block W, Oikos 26: 15-25, 1975）。このアプローチは、ダニ類の卵の代謝活性の評価にも使用されている（D. J. Thurling, Oecologia, 46:3, 391-396, 1980）。
【００４０】
卵ごとの酸素分子（Ｏ２）の測定は、ガス分析器を用いて又はCartesian Diverマイクロ呼吸計を用いて、容易に実施することができる。そのような分析は、当業者にとって通常の行為（routine practice）であり、ここでのさらなる説明は必要とされない。本発明者らは、亜致死の卵が、卵をＵＶ照射に又は特定の温度条件に曝露することにより得ることができることを見出した。例えば、亜致死の卵を得るために、卵を−１００℃〜９℃、有利には−８０℃〜５℃、さらに有利には−３０℃〜５℃の温度に曝露することができる。
【００４１】
例えば、卵は、採集後に、短い熱ショックを受け、次いで、約−９０℃〜５℃、有利には約−３０℃〜５℃、さらに有利には約−５℃〜５℃の温度で保存される。有利には、熱ショックは、約−１００℃〜０℃の温度で、好ましくは約−１００℃〜−１０℃の温度で実施される。
【００４２】
さらに、本発明者らは、亜致死段階の誘導が温度と該温度への曝露時間の両方に依存することを見出した。一般的には、温度を低くするほど、曝露時間を短くすべきであることが観察された。実際、本発明者らが見出したように、曝露時間が重大となりすぎると、その処理によって亜致死の卵は生じず、時間とともに崩壊する傾向のある死んだ卵が生じる。
【００４３】
例えば、一方では、コナダニ類の卵が−１０℃〜９℃の温度に曝露される場合、曝露時間は、数日〜数週間の間で変化し得る。他方では、コナダニ類の卵がより低い温度、例えば−１００℃〜−８０℃に曝露される場合、曝露時間は、数秒〜数時間に短くすべきである。
【００４４】
本発明者らは、所定の温度に関して、最大限の亜致死の卵を得るために必要かつ十分な曝露時間を特定の方程式によって決定できることを見出した。本発明者らは、少なくとも６０％の亜致死の卵を得るために安全に使用することができる、温度と曝露時間の特定の組合せを決定した。
【００４５】
好ましくは、本発明の卵は、８℃〜９℃の温度で７〜１０週間、７℃〜−４℃の温度で４〜６週間、−５℃〜−１４℃の温度で１〜３週間、−１５℃〜−２４℃の温度で２〜５日間、−２５℃〜−３４℃の温度で１２〜３６時間、−３５℃〜−５４℃の温度で２〜８時間、−５５℃〜−７９℃の温度で５〜６０分間、−８０℃〜−１００℃の温度で１０秒〜３分間からなる群に含まれる条件に曝露される。
【００４６】
さらに好ましくは、本発明の卵は、７℃〜−４℃の温度に、４〜６週間、曝露される。さらに一層好ましくは、本発明の卵は、４℃〜−２℃の温度に、４〜６週間、曝露される。有利には、本発明の卵は、０℃の温度に、４〜６週間、曝露される。
【００４７】
さらに、本発明者らは、少なくとも８０％の亜致死の卵を得るために安全に使用することができる、温度と曝露時間の特定の組合せを決定した。
【００４８】
好ましくは、本発明の卵は、８℃〜９℃の温度で９週間、７℃〜−４℃の温度で５週間、−５℃〜−１４℃の温度で２週間、−１５℃〜−２４℃の温度で４日間、−２５℃〜−３４℃の温度で２４時間、−３５℃〜−５４℃の温度で６時間、−５５℃〜−７９℃の温度で３０分間、−８０℃〜−１００℃の温度で３０秒間からなる群に含まれる条件に曝露される。
【００４９】
さらに好ましくは、本発明の卵は、７℃〜−４℃の温度に、５週間、曝露される。さらに一層好ましくは、本発明の卵は、４℃〜−２℃の温度に、５週間、曝露される。有利には、本発明の卵は、０℃の温度に、５週間、曝露される。
【００５０】
本発明において、卵は、全体であってもよいし、分画（fractionated）されてもよい。卵は、特定の栄養素が抽出されるように処理してもよい。
【００５１】
卵は、単独で、又は、少なくとも１種のその他の物質と混合して、投与することができる。その他の物質は、栄養素を含有する物質から選択される。例えば、その他の物質は、穀物類、穀粉、特に、小麦粉又はトウモロコシ粉、酵母、ふすま（bran）、花粉、果実、乾燥果実、糖類、例えば、デキストロースから選択される。
【００５２】
本発明において、「栄養源」という用語は、コナダニ類の卵が、生物農薬の餌として使用される任意の実施態様において使用される。本発明の栄養源は、唯一の餌であるか、又は、生物農薬の餌として使用される複数の餌の一つである。好ましくは、本発明の栄養源は、動物由来の唯一の栄養源である。特に好ましい実施態様において、本発明の栄養源は、生物農薬の餌として使用される唯一の餌である。
【００５３】
本発明の栄養源は、栄養源の総重量を基準として、少なくとも１０重量％、２０重量％、２５重量％、３０重量％、３５重量％、４０重量％、４５重量％、５０重量％、５５重量％、６０重量％、６５重量％、７０重量％、７５重量％、８０重量％、８５重量％、９０重量％、９５重量％、９８重量％、１００重量％のコナダニ類の卵を含んでなる。有利には、本発明の栄養源は、少なくとも１つのコナダニ類の個体群を含んでなる。本発明において、コナダニ類の個体群は、本質的にコナダニ類の卵からなる。したがって、コナダニ類の個体群は、コナダニ類の幼虫、若虫又は成虫を含まない。
【００５４】
好ましくは、本発明の栄養源は、本質的にコナダニ類の卵からなる。したがって、好ましい実施態様において、本発明の栄養源は、コナダニ類の幼虫、若虫又は成虫を含まない。
【００５５】
一実施態様において、「卵」という用語は、その他のいずれの段階も除外する。例えば、コナダニ類の卵は、コナダニ類の幼虫、若虫又は成虫を含まない。
【００５６】
本発明のコナダニ類の卵は、チリダニ科（Pyroglyphidae）の卵、コナダニ科（Acaridae）の卵、サトウダニ科（Carpoglyphidae）の卵又はニクダニ科（Glyciphagidae）の卵から選択することができる。
【００５７】
有利な実施態様において、コナダニ類の卵は、コナダニ科（Acaridae）の少なくとも１種の卵、例えば、Acarus属の少なくとも１種の卵、例えば、Acarus siro、Acarus farris、Acarus immobilis又はAcarus chaetoxysilosの卵から；あるいは、別の例では、Tyrophagus属の少なくとも１種の卵、例えば、Tyrophagus longior、Tyrophagus similis又はケナガコナダニ（Tyrophagus putrescentiae）の卵から；あるいは、Aleuroglyphus属の少なくとも１種の卵、例えば、ムギコナダニ（Aleuroglyphus ovatus）の卵から；あるいは、Lardoglyphus属の少なくとも１種の卵、例えば、Lardoglyphus konoiの卵から；あるいは、Caloglyphus属の少なくとも１種の卵、例えば、Caloglyphus mycophagus又はCaloglyphus berleseiの卵から；あるいは、Suidasia属の少なくとも１種の卵、例えば、Suidasia nesbittiの卵から；あるいは、Thyreophagus属の少なくとも１種の卵、例えば、Thyreophagus entomophagusの卵から；あるいは、サトウダニ科（Carpoglyphidae）の少なくとも１種の卵、例えば、Carpoglyphus属の少なくとも１種の卵、例えば、Carpoglyphus lactis、Carpoglyphus munroiの卵から；あるいは、Glycyphagidae科の少なくとも１種の卵、例えば、Glycyphagus属の少なくとも１種の卵、例えば、Glycyphagus domesticuの卵から；あるいは、Lepidoglyphus属の少なくとも１種の卵、例えば、Lepidoglyphus destructorの卵から；あるいは、Blomia属の少なくとも１種の卵、例えば、Blomia freemaniの卵から；あるいは、Chortoglyphydae科の少なくとも１種の卵、例えば、Chortoglyphus属の少なくとも１種の卵、例えば、Chortoglyphus arcuatusの卵から選択される。
【００５８】
有利には、コナダニ類の卵は、Aleuroglyphus属の少なくとも１種の卵から選択される。特に有利な実施態様において、コナダニ類の卵は、少なくともムギコナダニ（Aleuroglyphus ovatus）の卵から選択される。
【００５９】
一実施態様において、本発明の栄養源は、コナダニ科（Acaridae）の卵を含んでなる。好ましい実施形態において、本発明の栄養源は、ムギコナダニ（Aleuroglyphus ovatus）の卵を含んでなる。
【００６０】
さらに、本発明者らは、驚くべきことに、コナダニ類の卵と鱗翅類の卵との混合物が相乗的に作用し、特に顕著な節足動物の成長を生じさせることを見出した。
【００６１】
したがって、本発明の別の対象は、節足動物生物農薬のための栄養源としての、コナダニ類の卵及び鱗翅類の卵の使用である。
【００６２】
好ましくは、本発明の栄養源は、鱗翅類の少なくとも１種の卵をさらに含んでなる。好ましくは、本発明の栄養源は、少なくとも１つの鱗翅類の個体群をさらに含んでなる。さらに好ましくは、この鱗翅類の個体群は、本質的に卵からなる。
【００６３】
本発明の一実施態様において、鱗翅類の卵は、例えば、Pyralidae科、例えば、スジコナマダラメイガ（Ephestia kuhniella）、Ephestia elutella、Ephestia cautella、Corcyra cephalonica又はPlodia interpunctellaから、あるいは、例えば、Gelechiidae亜科、例えば、バクガ（Sitotroga cerealella）から選択される。特に有利な実施態様において、鱗翅類の卵は、スジコナマダラメイガ（Ephestia kuhniella）の卵である。
【００６４】
したがって、本発明の特に有利な実施態様において、本発明の組成物は、節足動物の種であるスワルスキーカブリダニ（Amblyseius swirskii）の少なくとも１つの個体群と、ムギコナダニ（Aleuroglyphus ovatus）の卵と、スジコナマダラメイガ（Ephestia kuhniella）の卵とを含んでなる。
【００６５】
好ましくは、本発明の栄養源は、栄養源の総重量を基準として、２重量％、５重量％、１０重量％、１５重量％、２０重量％、２５重量％、３０重量％、３５重量％、４０重量％、４５重量％、５０重量％、５５重量％、６０重量％、６５重量％、７０重量％、７５重量％、８０重量％の鱗翅類の卵をさらに含んでなる。
【００６６】
本発明の好ましい実施態様において、本発明の栄養源は、コナダニ類の卵及び鱗翅類の卵を含んでなり、例えば、コナダニ類の卵の、鱗翅類の卵に対する重量比は、１：２〜２：１である。
【００６７】
好ましい実施態様において、ムギコナダニ（Aleuroglyphus ovatus）の卵を含んでなる栄養源は、その種がカブリダニ科（Phytoseiidae）に属する、少なくとも１つの節足動物の個体群に対して使用される。
【００６８】
好ましい実施態様において、ムギコナダニ（Aleuroglyphus ovatus）の卵を含んでなる栄養源は、スワルスキーカブリダニ（Amblyseius swirskii）種である、少なくとも１つの節足動物の個体群に対して使用される。
【００６９】
コナダニ類の卵は、当業者に公知の任意の方法によって採集することができる。
【００７０】
本発明の一実施態様において、節足動物の重量の、卵の重量に対する割合は、好ましくは、１：１〜１：５０である。有利には、この割合は、１：２〜１：１０であることができる。特に有利な実施態様において、この割合は、１：３〜１：７である。
【００７１】
本発明の一実施態様において、節足動物の重量の、コナダニ類の卵の重量に対する割合は、好ましくは１：１〜１：５０である。有利には、この割合は、１：２〜１：１０であることができる。特に有利な実施態様において、この割合は、１：３〜１：７である。
【００７２】
したがって、一実施形態において、本発明は、対象として、以下の工程：
（ａ）コナダニ類の卵を採集する工程と、
（ｂ）得られたコナダニ類の卵の重量を測定する工程と、
（ｃ）コナダニ類の卵の重量と節足動物の重量とを合計する工程と、
を含んでなる、コナダニ類の卵によって節足動物を飼育する方法であって、
節足動物の重量の、コナダニ類の卵の重量に対する割合が１：３〜１：７であることを特徴とする方法を包含する。
【００７３】
好ましい実施態様において、本発明は、対象として、以下の工程：
（ａ）コナダニ類の卵及び鱗翅類の卵を採集する工程と、
（ｂ）得られたコナダニ類の卵の重量及び得られた鱗翅類の卵の重量を測定する工程と、
（ｃ）コナダニ類の卵の重量、鱗翅類の卵の重量及び節足動物の重量を合計する工程と、
を含んでなる、コナダニ類の卵及び鱗翅類の卵によって節足動物を飼育する方法であって、
節足動物の重量の、コナダニ類の卵の重量及び鱗翅類の卵の重量の合計に対する割合が１：３〜１：７であることを特徴とする方法を包含する。
【００７４】
本発明の一実施態様において、支持又は散布基材（support or dissemination substrate）が、節足動物生物農薬の個体群及び栄養源を含んでなる混合物に加えられる。支持又は散布基材は、不活性基材、例えば、バーミキュライト粒子、パーライト粒子又はそれらの混合物から選択される。
【００７５】
本発明の組成物は、微量（traces）の節足動物飼育用培養基をさらに含むことができる。
【００７６】
有利には、節足動物は、５℃〜４０℃の温度で、好ましくは１５℃〜３５℃の温度で飼育される。特に有利な方法では、節足動物は、２０℃〜３０℃の温度で飼育される。
【実施例】
【００７７】
実施例１：本質的にコナダニ類の卵からなる餌の、節足動物生物農薬の成長及び健康状態に対する効果
A. swirskiiの卵を別々のセルに入れ、２５℃、７５％ＨＲ（相対湿度）かつ１６／８（Ｌ／Ｄ（明／暗）、所定条件下に置かれた時間（hours）を示す）の条件で飼育した。
【００７８】
得られたA. swirskiiの個体群に、以下の条件のうちの１つを給餌した。
−全ての段階のA. ovatusの混合物
−A. ovatusの亜致死の卵のみ
【００７９】
１２時間ごとに、死んだ又は逃げたA. swirskii個体を、それらの発育段階とともに記録した。
【００８０】
結果を図１に示す。
死んだ又は逃げたA. swirskiiの幼虫（juveniles）の合計割合は、卵のみが与えられた場合（３７％）の方が、全ての段階のA. ovatusの混合物がA. swirskiiに与えられた場合（６３％）よりも低かった。
【００８１】
結論：ムギコナダニ（Aleuroglyphus ovatus）の卵が給餌されたスワルスキーカブリダニ（Amblyseius swirskii）の個体群は、全ての段階のムギコナダニ（Aleuroglyphus ovatus）が給餌されたスワルスキーカブリダニ（Amblyseius swirskii）の個体群よりも、個体の死亡又は脱出の数が少ない。コナダニ類の卵によって飼育された節足動物生物農薬の個体群は、全ての段階のコナダニ類によって飼育された節足動物生物農薬の個体群よりも、健康であるとともに数が多い可能性が高い。
【００８２】
実施例２：本質的にコナダニ類の卵からなる餌の、節足動物生物農薬の繁殖力に対する効果
同一のコホートのA. swirskiiの雌幼虫を、個々に、２５℃、７５％ＨＲかつ１６／８（Ｌ／Ｄ）の条件下、実験セルに入れ、雄を各雌に与えた。
【００８３】
A. swirskiiの雌に、以下の条件のうち１つを給餌した。
−全ての段階のA. ovatusの混合物
−A. ovatusの亜致死の卵のみ
【００８４】
その後、３０〜６０匹のA. swirskiiの繁殖力（卵／雌の平均数）を、最初の交尾と死との間、毎日、記録した。
【００８５】
結果を図２に示す。
それらの雌の寿命も、上記２種類の様式に関して記録した。結果を図３に示す。
【００８６】
寿命は、A. swirskiiの雌に与えられた餌が亜致死の卵のみからなる場合の方が、餌が全ての段階のA. ovatusの混合物で構成される場合よりも長いようである。反対の傾向が、試験された２種類の様式に関する繁殖力について観察される。A. ovatusの亜致死の卵のみがA. swirskiiに与えられるとき、全体的な能力（global performance）は失われず、寿命の点から効果が得られる。
【００８７】
結論：ムギコナダニ（Aleuroglyphus ovatus）の卵が給餌されたスワルスキーカブリダニ（Amblyseius swirskii）の雌の繁殖力は、全ての段階のムギコナダニ（Aleuroglyphus ovatus）が給餌された同種の雌の繁殖力よりも大きい。
【００８８】
コナダニ類の卵によって飼育された節足動物生物農薬の繁殖力は、全ての段階のコナダニ類によって飼育された節足動物生物農薬の繁殖力よりも大きい可能性が高い。
【００８９】
実施例３：本質的にコナダニ類の卵からなる餌の、節足動物生物農薬の生存に対する効果
A. swirskiiの雌幼虫を２５℃、７５％ＨＲかつ１６／８（Ｌ／Ｄ）の条件に維持した。
【００９０】
A. swirskiiの雌に、以下の２種類の条件のうち１つを、少なくとも３日間、給餌した。
−全ての段階のA. ovatusの混合物
−A. ovatusの亜致死の卵のみ
【００９１】
その後、スワルスキーカブリダニ（Amblyseius swirskii）の雌を別々のセルに移した。その後、それらを絶食させた。
脱出を絶食の初日から実験の最後まで、毎日、記録した。
【００９２】
結果を図４に示す。
脱出率は、A. swirskiiに全ての段階のA. ovatusの混合物を餌として与えた場合の方が、卵を与えた場合と比較して、高かった。
【００９３】
結論：ムギコナダニ（Aleuroglyphus ovatus）の卵を給餌したスワルスキーカブリダニ（Amblyseius swirskii）の個体群は、餌を奪った後でさえも、全ての段階のムギコナダニ（Aleuroglyphus ovatus）を給餌したスワルスキーカブリダニ（Amblyseius swirskii）の個体群よりも、個体の死及び脱出が少ない。コナダニ類の卵によって飼育された節足動物生物農薬の個体群は、全ての段階のコナダニ類によって飼育された節足動物生物農薬の個体群よりも、健康であるとともに数が多い可能性が高い。
【００９４】
実施例４：亜致死のコナダニ類の卵はカビを発生させない
酵母及びふすま（wheat bran）を給餌したA. ovatusの個体群を調製した。調製の最後において、A. ovatusの個体群には、全ての段階のA. ovatusが含まれていた。
【００９５】
調製した個体群からサンプルを採集し、それから卵を単離した。単離した卵を、亜致死状態を誘導するのに適した条件下、低温保存した。
【００９６】
調製した個体群から別のサンプルを採集し、低温保存した。したがって、この第二のサンプルには、全ての段階のA. ovatusの混合物が含まれていた。
【００９７】
２カ月後、単離した卵（Ａ）及び全ての段階のA. ovatusの混合物（Ｂ）を、保存場所から取り出し、大気温度で１週間放置した。
【００９８】
その後、全ての段階のA. ovatusを含むサンプル（Ｂ）にはカビの発生が観察されたが、亜致死の卵のみを含むサンプル（Ａ）には微生物の発生は観察されなかった。
【００９９】
１週間後、両サンプルの変化を示すために写真を撮った。
結果を図５に示す。
【０１００】
結論：これらの結果は、亜致死のコナダニ類の卵がカビを発生させず、したがって、同じ条件で保存された、全ての段階のコナダニ類を含んでなる個体群と同じ速さでは劣化しないことを示す。
【０１０１】
実施例５：特定の温度への曝露及びそのような温度への曝露時間によって亜致死の卵が生じる。
A. ovatusの卵を実験個体群から単離し、様々な温度下、実験セル中で（３０卵／セル／処置）、４、５又は６週間、保存した。
−    −５℃
−      ０℃
−      ８℃
【０１０２】
保存後、全ての卵を２５℃かつ７５％ＨＲの条件下で放置した。
１週間、毎日、全ての孵化した又は崩壊した卵を記録し、卵の孵化率、崩壊率及び可食率（edible rate）を求めた。
結果を表１に示す。
【０１０３】
【表１】
2015527876.tif 000002
【０１０４】
表１：A. ovatusの卵の崩壊率及び孵化率は、保存温度及び保存時間に依存する。
０℃での保存は、大量の卵の崩壊及び孵化を誘発する。
８℃での保存は、依然として、孵化及び高い崩壊率を誘導する。
０℃での保存は、卵の緊張状態（turgescence）を維持し、曝露５週間後、孵化率をゼロに減少させる。
【０１０５】
結論：０℃の温度に４〜６週間曝露されたコナダニ類の卵は孵化せず、このことは、得られた卵が亜致死の卵であることを示す。さらに、それらの条件において、崩壊は最小限化されており、６０％を超える可食性の卵を得ることができる。
【図１】
2015527876.tif 000003
【図２】
2015527876.tif 000004
【図３】
2015527876.tif 000005
【図４】
2015527876.tif 000006
【図５】
2015527876.tif 000007
【国際調査報告】
2015527876.tif 000008
2015527876.tif 000009
2015527876.tif 000010
2015527876.tif 000011
2015527876.tif 000012
2015527876.tif 000013